(57)【要約】【課題】本発明は、オーダシートを利用した画像印刷の利便性を向上させることができる画像印刷技術を提供する。【解決手段】印刷装置１０は、画像データが記憶されている記憶媒体８１０から該画像データを読み出す画像読出部１１２と、読み出された画像データを示すインデックス画像を用いて画像を印刷するための情報の記入をユーザから受け付ける受付欄を有するオーダシートを印刷する制御を行うオーダシート印刷制御部１１４と、オーダシートをスキャンして受付欄に記入された記入情報を認識するスキャン認識部１１６と、認識された記入情報に基づいて、画像をトリミングしたトリミング画像を印刷する制御を行うトリミング印刷制御部１１８とを備える。【選択図】図２
2007124623.tif 000002
【特許請求の範囲】
【請求項１】
画像データに基づく画像を印刷装置で印刷する印刷方法であって、
前記画像データが記憶されている記憶媒体から該画像データを読み出す工程と、
前記印刷装置が、前記読み出された画像データを示すインデックス画像を用いて前記画像を印刷するための情報の記入をユーザから受け付けるオーダシートを、印刷する工程と、
前記オーダシートをスキャンすることによって、前記オーダシートに記入された記入情報を認識する工程と、
前記印刷装置が、前記認識された記入情報に基づいて、前記画像をトリミングしたトリミング画像を印刷する工程と
を備える印刷方法。
【請求項２】
前記トリミング画像を印刷する工程は、前記認識された記入情報に基づいて、前記トリミング画像のために前記画像から除去される部位を特定する工程を含む請求項１記載の印刷方法。
【請求項３】
請求項１記載の印刷方法であって、
前記記入情報を認識する工程は、前記インデックス画像上に記入された枠線を前記記入情報として認識する工程を含み、
前記トリミング画像を印刷する工程は、前記インデックス画像における前記認識された枠線の外側を、前記トリミング画像のために前記画像から除去される部位として特定する工程を含む印刷方法。
【請求項４】
請求項１記載の印刷方法であって、
前記記入情報を認識する工程は、前記インデックス画像上で塗り潰された領域を前記記入情報として認識する工程を含み、
前記トリミング画像を印刷する工程は、前記インデックス画像における前記認識された領域を、前記トリミング画像のために前記画像から除去される部位として特定する工程を含む印刷方法。
【請求項５】
請求項１記載の印刷方法であって、
前記オーダシートを印刷する工程は、格子状の格子線を前記インデックス画像上に描画する工程を含み、
前記記入情報を認識する工程は、前記格子線に沿って記入された線分を前記記入情報として認識する工程を含み、
前記トリミング画像を印刷する工程は、前記インデックス画像における前記認識された線分によって示される矩形の外側を、前記トリミング画像のために前記画像から除去される部位として特定する工程を含む印刷方法。
【請求項６】
請求項１記載の印刷方法であって、
前記オーダシートを印刷する工程は、前記インデックス画像の辺に沿った定規を前記オーダシートに設ける工程を含み、
前記記入情報を認識する工程は、前記定規に記入された目盛を前記記入情報として認識する工程を含み、
前記トリミング画像を印刷する工程は、前記インデックス画像における前記認識された目盛に対応する領域を、前記トリミング画像のために前記画像から除去される部位として特定する工程を含む印刷方法。
【請求項７】
請求項１記載の印刷方法であって、
前記オーダシートを印刷する工程は、前記インデックス画像の直行する二つの辺に沿った定規を前記オーダシートに設ける工程を含み、
前記記入情報を認識する工程は、前記二つの定規にそれぞれ記入された二組の目盛を前記記入情報として認識する工程を含み、
前記トリミング画像を印刷する工程は、前記インデックス画像における前記認識された二組の目盛からそれぞれ延びる垂線で囲まれる矩形の外側を、前記トリミング画像のために前記画像から除去される部位として特定する工程を含む印刷方法。
【請求項８】
請求項１記載の印刷方法であって、
前記オーダシートを印刷する工程は、
前記トリミング画像の候補を示す複数のトリミングパターンを前記インデックス画像上に描画する工程と、
前記複数のトリミングパターンに対応したマークの記入を前記ユーザから受け付ける複数のマーク記入部を前記オーダシートに設ける工程と
を含み、
前記記入情報を認識する工程は、前記複数のマーク記入部に記入されたマークを前記記入情報として認識する工程を含み、
前記トリミング画像を印刷する工程は、前記マークが認識されたマーク記入部に対応する前記トリミングパターンの外側を、前記トリミング画像のために前記画像から除去される部位として特定する工程を含む印刷方法。
【請求項９】
前記格子線を描画する工程は、前記格子線によって囲まれる矩形のアスペクト比が、前記印刷されるトリミング画像のアスペクト比と同じになるように、前記格子線を前記インデックス画像上に描画する工程である請求項５記載の印刷方法。
【請求項１０】
前記オーダシートを印刷する工程は、前記オーダシートに印刷されるインデックス画像の明るさ，彩度の少なくとも一方を、前記記入情報の認識精度に応じて調整する工程を含む請求項３ないし５のいずれか記載の印刷方法。
【請求項１１】
前記オーダシートを印刷する工程は、前記オーダシートに印刷されるインデックス画像を構成する印刷ドットを間引く工程を含む請求項３ないし５のいずれか記載の印刷方法。
【請求項１２】
前記トリミング画像を印刷する工程は、前記トリミング画像のアスペクト比，サイズの少なくとも一方が基準値を満たさない場合に、前記ユーザに警告を発する工程を含む請求項３ないし７のいずれか記載の印刷方法。
【請求項１３】
前記トリミング画像を印刷する工程は、前記トリミング画像のアスペクト比，サイズの少なくとも一方を基準値に基づいて修正する工程を含む請求項３ないし７のいずれか記載の印刷方法。
【請求項１４】
前記記入情報を認識する工程は、前記印刷される際のオーダシートと、前記スキャンされる際のオーダシートとの間における色差分に基づいて、前記記入情報を認識する工程を含む請求項１ないし１３のいずれか記載の印刷方法。
【請求項１５】
前記記入情報を認識する工程は、前記スキャンされる際のオーダシートに記入された特定色に基づいて、前記記入情報を認識する工程を含む請求項１ないし１３のいずれか記載の印刷方法。
【請求項１６】
請求項１ないし１５のいずれか記載の印刷方法であって、
前記トリミング画像を印刷する工程は、
前記トリミング画像の印刷に先立って、該トリミング画像をディスプレイに表示する工程と、
前記トリミング画像の印刷に先立って、前記ユーザから該トリミング画像の修正を受け付ける工程と
を含む印刷方法。
【請求項１７】
画像データに基づく画像を印刷する印刷装置であって、
前記画像データが記憶されている記憶媒体から該画像データを読み出す画像読出部と、
前記読み出された画像データを示すインデックス画像を用いて前記画像を印刷するための情報の記入をユーザから受け付けるオーダシートを印刷する制御を行うオーダシート印刷制御部と、
前記オーダシートをスキャンすることによって、前記オーダシートに記入された記入情報を認識するスキャン認識部と、
前記認識された記入情報に基づいて、前記画像をトリミングしたトリミング画像を印刷する制御を行うトリミング印刷制御部と
を備える印刷装置。
【請求項１８】
前記トリミング印刷制御部は、前記認識された記入情報に基づいて、前記トリミング画像のために前記画像から除去される部位を特定するトリミング特定部を備える請求項１７記載の印刷装置。
【請求項１９】
画像データに基づく画像を印刷する機能を印刷装置のコンピュータに実現させるためのプログラムであって、
前記コンピュータが、前記画像データが記憶されている記憶媒体から該画像データを読み出す機能と、
前記コンピュータが、前記読み出された画像データを示すインデックス画像を用いて前記画像を印刷するための情報の記入をユーザから受け付けるオーダシートを印刷する制御を行う機能と、
前記コンピュータが、前記オーダシートをスキャンすることによって、前記オーダシートに記入されている記入情報を認識する機能と、
前記コンピュータが、前記認識された記入情報に基づいて、前記画像をトリミングしたトリミング画像を印刷する制御を行う機能と
を実現させるためのプログラム。
【請求項２０】
更に、前記コンピュータが、前記認識された記入情報に基づいて、前記トリミング画像のために前記画像から除去される部位を特定する機能を実現させるための請求項１９記載のプログラム。
【発明の詳細な説明】
【技術分野】
【０００１】
本発明は、画像を印刷する画像印刷技術に関する
【背景技術】
【０００２】
従来、記憶媒体に記憶されている画像データに基づく画像を印刷装置で印刷する際に、オーダシートを用いて画像の印刷を実現する画像印刷技術があった。そのオーダシートには、画像の印刷枚数や印刷サイズなどの指定をマークの記入によって受け付けるマーク記入部が、画像データを示すインデックス画像と共に印刷され、ユーザによってマークが記入されたオーダシートを印刷装置でスキャンすることによって画像の印刷が実行される。下記特許文献１−５には、従来の画像印刷技術が開示されている。
【０００３】
【特許文献１】特開２００４−２５５７２９号公報
【特許文献２】特開２００５−１１１８０２号公報
【特許文献３】特開２００５−１１７３２８号公報
【特許文献４】特開２００５−１２５７３０号公報
【特許文献５】特開２００５−１３８５７３号公報
【発明の開示】
【発明が解決しようとする課題】
【０００４】
しかしながら、従来の画像印刷技術では、オーダシートを利用して印刷される画像を修正することについては十分な考慮がなされていなかった。
【０００５】
本発明は、上記した課題を踏まえ、オーダシートを利用した画像印刷の利便性を向上させることができる画像印刷技術を提供することを目的とする。
【課題を解決するための手段】
【０００６】
上記した課題を解決するため、本発明の印刷装置は、画像データに基づく画像を印刷する印刷装置であって、画像データが記憶されている記憶媒体から該画像データを読み出す画像読出部と、読み出された画像データを示すインデックス画像を用いて画像を印刷するための情報の記入をユーザから受け付ける受付欄を有するオーダシートを印刷する制御を行うオーダシート印刷制御部と、オーダシートをスキャンして受付欄に記入された記入情報を認識するスキャン認識部と、認識された記入情報に基づいて画像をトリミングしたトリミング画像を印刷する制御を行うトリミング印刷制御部とを備えることを特徴とする。これによって、印刷装置は、印刷される画像に対するトリミング処理に関するユーザからの要求を、オーダシートを利用して受け付けることができる。したがって、オーダシートを利用した画像印刷の利便性を向上させることができる。
【０００７】
前述の印刷装置は、以下の形態を採ることもできる。例えば、トリミング印刷制御部は、認識された記入情報に基づいて、トリミング画像のために画像から除去される部位を特定するトリミング特定部を備えても良い。これによって、印刷装置は、画像上でトリミングされる部位に関するユーザからの指定を、オーダシートを介して受け付けることができる。
【０００８】
また、スキャン認識部は、インデックス画像上に記入された枠線を記入情報として認識する枠線認識部を備え、トリミング印刷制御部は、インデックス画像における認識された枠線の外側を、トリミング画像のために画像から除去される部位として特定するトリミング特定部を備えても良い。これによって、ユーザは、トリミング画像として残される画像上の部位を枠線によって直感的に指定することができる。
【０００９】
また、スキャン認識部は、インデックス画像上で塗り潰された領域を記入情報として認識する塗潰認識部を備え、トリミング印刷制御部は、インデックス画像における認識された領域を、トリミング画像のために画像から除去される部位として特定するトリミング特定部を備えても良い。これによって、ユーザは、トリミングによって除去される画像上の部位を直感的に指定することができる。
【００１０】
また、印刷されるオーダシートが有する受付欄は、インデックス画像上に付された格子状の格子線を有し、スキャン認識部は、格子線に沿って記入された線分を記入情報として認識する格子線認識部を備え、トリミング印刷制御部は、インデックス画像における認識された線分によって示される矩形の外側を、トリミング画像のために画像から除去される部位として特定するトリミング特定部を備えても良い。これによって、ユーザは、トリミング画像として残される画像上の部位を正確に指定することができる。また、この形態の場合には、格子線によって囲まれる矩形のアスペクト比は、印刷されるトリミング画像のアスペクト比と同一であっても良い。これによって、横および縦で矩形の個数を同数に揃えることによって（例えば、「（横の個数）×（縦の個数）」を、「２×２」、「３×３」のように「ｎ×ｎ（ｎは自然数）」とする。）、印刷されるトリミング画像のアスペクト比を適切な値に維持することができる。
【００１１】
また、印刷されるオーダシートが有する受付欄は、インデックス画像に付された定規を有し、スキャン認識部は、定規に記入された目盛を記入情報として認識する目盛認識部を備え、トリミング印刷制御部は、インデックス画像における認識された目盛に対応する領域を、トリミング画像のために画像から除去される部位として特定するトリミング特定部を備えても良い。これによって、ユーザは、トリミングによって除去される画像上の部位を正確に指定することができる。
【００１２】
また、印刷されるオーダシートが有する受付欄は、インデックス画像に付された直交する二つの定規を有し、スキャン認識部は、二つの定規にそれぞれ記入された二組の目盛を記入情報として認識する目盛組認識部を備え、トリミング印刷制御部は、インデックス画像における認識された二組の目盛からそれぞれ延びる垂線で囲まれる矩形の外側を、トリミング画像のために画像から除去される部位として特定するトリミング特定部を備えても良い。これによって、ユーザは、トリミング画像として残される画像上の部位を正確に指定することができる。
【００１３】
また、印刷されるオーダシートが有する受付欄は、インデックス画像上に付されトリミング画像の候補を示す複数のトリミングパターンと、複数のトリミングパターンに対応したマークの記入をユーザから受け付ける複数のマーク記入部とを有し、スキャン認識部は、複数のマーク記入部に記入されたマークを記入情報として認識するマーク認識部を備え、トリミング印刷制御部は、マークが認識されたマーク記入部に対応するトリミングパターンの外側を、トリミング画像のために画像から除去される部位として特定するトリミング特定部を備えても良い。これによって、ユーザは、トリミング画像として残される画像上の部位を容易に指定することができる。
【００１４】
また、インデックス画像上に記入情報が記入される上述の形態の場合には、オーダシート印刷制御部は、インデックス画像の明るさ，彩度の少なくとも一方を、記入情報の認識精度に応じて調整する画質調整部を備えても良い。これによって、オーダシートをスキャンして記入情報を認識する際に、インデックス画像上の記入情報を認識し易くすることができる。
【００１５】
また、オーダシート印刷制御部は、インデックス画像を構成する印刷ドットを間引くドット調整部を備えても良い。これによって、オーダシートをスキャンして記入情報を認識する際に、インデックス画像上の記入情報を認識し易くすることができる。なお、印刷ドットを間引く処理は、印刷ドットが間引かれたインデックス画像用の画像データを生成して実現しても良いし、インデックス画像を印刷する際に印刷インクの吐出を制御することによって実現しても良い。
【００１６】
また、トリミング印刷制御部は、トリミング画像のアスペクト比，サイズの少なくとも一方が基準値を満たさない場合に、警告を発する警告部を備えても良い。これによって、不適切なトリミングが施されたトリミング画像が印刷されてしまうことを防止することができる。
【００１７】
また、トリミング印刷制御部は、トリミング画像のアスペクト比，サイズの少なくとも一方を基準値に基づいて修正する修正部を備えても良い。これによって、適切なトリミングが施されたトリミング画像を印刷することができる。
【００１８】
また、スキャン認識部は、前記印刷される際のオーダシートと、スキャンされる際のオーダシートとの間における色差分に基づいて記入情報を認識しても良い。これによって、記入情報の認識精度を向上させることができる。
【００１９】
また、スキャン認識部は、スキャンされる際のオーダシートに記入された特定色に基づいて、記入情報を認識しても良い。これによって、記入情報の記入に用いられる筆記具が予め設定されている場合に、記入情報の認識精度を向上させることができる。この場合における特定色としては、例えば、蛍光色、金属色（金色，銀色）など、印刷装置に用いられている印刷インクで表現しにくい色が適切である。
【００２０】
また、トリミング印刷制御部は、トリミング画像の印刷に先立って、そのトリミング画像をディスプレイに表示する制御を行う表示制御部と、トリミング画像の印刷に先立って、ユーザからそのトリミング画像の修正を受け付ける修正受付部とを備えても良い。これによって、ユーザは、トリミング調整をより詳細に指定することができる。
【００２１】
また、本発明の形態は、印刷装置に限るものではなく、例えば、画像データに基づく画像を印刷装置で印刷する印刷方法や、画像データに基づく画像を印刷する機能を印刷装置のコンピュータに実現させるためのプログラム、パーソナルコンピュータと印刷装置とスキャナ装置とを備えるコンピュータシステムなどに適用することもできる。また、本発明は、前述の形態に何ら限定されるものではなく、本発明の趣旨を逸脱しない範囲内において様々な形態で実施し得ることは勿論である。
【発明を実施するための最良の形態】
【００２２】
以上説明した本発明の構成および作用を一層明らかにするために、以下本発明を適用した画像印刷技術について、次の順序で説明する。
目次
Ａ．第１の実施例（枠線によるトリミング範囲の指定）
Ａ−１．印刷装置の構成
Ａ−２．印刷装置の動作
Ａ−３．変形例
Ｂ．第２の実施例（塗り潰しによるトリミング範囲の指定）
Ｃ．第３の実施例（格子線によるトリミング範囲の指定）
Ｄ．第４の実施例（定規によるトリミング範囲の指定）
Ｅ．第５の実施例（定規によるトリミング範囲の指定）
Ｆ．第６の実施例（トリミングパターンによるトリミング範囲の指定）
Ｇ．第７の実施例（トリミング実施の指定）
Ｈ．第８の実施例（フチなし印刷の指定）
Ｉ．その他の実施形態
【００２３】
Ａ．第１の実施例（枠線によるトリミング範囲の指定）：
Ａ−１．印刷装置の構成：
図１は、印刷装置１０の外観構成を示す斜視図である。図２は、印刷装置１０の内部構成を示す説明図である。図１および図２に示す印刷装置１０は、カラープリンタ，モノクロプリンタ，スキャナ，複写機などの各種機能を併せ持つ装置、いわゆる複合機である。印刷装置１０は、これらの機能に加えて、印刷装置１０に接続された記憶媒体に記憶されている画像を、オーダシートを用いて印刷する機能であるオーダシート・プリント機能を有する。
【００２４】
印刷装置１０は、印刷装置１０の各部を制御するメイン制御部１１０と、普通紙や写真用紙，ハガキなどの印刷媒体９００に印刷する印刷部１２０と、紙面上の画像を読み取ってデジタルデータに変換（スキャン、scan）するスキャナ部１３０と、フラッシュメモリを内蔵するメモリカードのような記憶媒体８１０からデータを読み書き可能なカードスロット１４０と、パーソナルコンピュータやデジタルスチルカメラ，デジタルビデオカメラなどの記憶媒体を内蔵する外部機器８２０とデータをやり取り可能な通信コネクタ１５０と、文字や画像を表示するディスプレイ部１６０と、印刷装置１０のユーザからの指示入力を受け付ける入力ボタン部１７０とを備える。
【００２５】
印刷装置１０のメイン制御部１１０は、カードスロット１４０に接続された記憶媒体８１０や通信コネクタ１５０に接続された外部機器８２０から画像データを読み出す画像読出部１１２と、読み出された画像データに基づく画像を印刷するための情報の記入をユーザから受け付けるオーダシートを印刷する制御を行うオーダシート印刷制御部１１４と、オーダシートをスキャンしてユーザによって記入された記入情報を認識するスキャン認識部１１６と、認識された記入情報に基づいて画像をトリミングしたトリミング画像を印刷する制御を行うトリミング印刷制御部１１８とを備える。
【００２６】
本実施例では、メイン制御部１１０は、セントラルプロセッシングユニット（Central Processing Unit、以下、ＣＰＵという）,リードオンリメモリ（Read Only Memory、以下、ＲＯＭという）,ランダムアクセスメモリ（Random Access Memory、以下、ＲＡＭという）などのハードウェアを備えたＡＳＩＣ（Application Specific Integrated Circuits）であり、メイン制御部１１０には、画像読出部１１２，オーダシート印刷制御部１１４，スキャン認識部１１６，トリミング印刷制御部１１８の各機能を実現させるソフトウェアがインストールされている。メイン制御部１１０の動作についての詳細は後述する。
【００２７】
印刷装置１０の印刷部１２０は、図２に示すように、印刷媒体９００に印刷インクを吐出する印刷ヘッドユニット２１０と、印刷ヘッドユニット２１０を搭載するキャリッジ２００と、キャリッジ２００を主走査方向に駆動するキャリッジ駆動部２４０と、印刷媒体９００を搬送する印刷媒体搬送部２５０とを備える。印刷部１２０の印刷ヘッドユニット２１０は、ブラック，シアン，ライトシアン，マゼンダ，ライトマゼンダ，イエロの各色のインク毎に計６個のインク吐出ヘッド２１１〜２１６を有する。インク吐出ヘッド２１１〜２１６の各々は、ピエゾ素子（図示しない）の電圧調整によってインクを印刷媒体９００に吐出する。印刷部１２０のインク吐出ヘッド２１１〜２１６，キャリッジ駆動部２４０，印刷媒体搬送部２５０は、メイン制御部１１０の指示に基づいて協働することによって、印刷媒体９００に対する印刷が実現される。
【００２８】
Ａ−２．印刷装置の動作：
図３は、第１の実施例において印刷装置１０のメイン制御部１１０によって実行される画像印刷処理を示すフローチャートである。印刷装置１０のメイン制御部１１０は、記憶媒体８１０や外部機器８２０がユーザによってカードスロット１４０や通信コネクタ１５０に取り付けられ、オーダシート・プリント機能の実施要求がユーザによって入力ボタン部１７０を介して入力された際に、図３の画像印刷処理を開始する。
【００２９】
印刷装置１０のメイン制御部１１０は、図３の画像印刷処理を開始すると、カードスロット１４０や通信コネクタ１５０に取り付けられている記憶媒体８１０や外部機器８２０から画像データを読み出す（ステップＳ１０５）。その後、メイン制御部１１０は、読み出された画像データに基づくオーダシートを印刷するための指示を印刷部１２０に対して行い（ステップＳ１１０）、これによって、オーダシートが印刷される。
【００３０】
図４は、第１の実施例において印刷装置１０によって印刷されたオーダシート９１０の一例を示す説明図である。図４のオーダシート９１０は、画像データに基づく画像が印刷される印刷用紙の種類を指定するための情報の記入をユーザから受け付ける受付欄である印刷用紙指定欄９１１０と、画像データに基づく画像の個々に関する印刷態様を指定するための情報の記入をユーザから受け付ける受付欄である印刷態様指定欄９１２０とを有する。
【００３１】
オーダシート９１０の印刷用紙指定欄９１１０は、複数の印刷用紙の種類に対応する複数のマーク部９１１２を有し、これらのマーク部９１１２は、画像データに基づく画像を印刷する印刷用紙の種類を指定する記入をユーザから受け付ける。本実施例では、複数のマーク部９１１２は、内側が空白である楕円状の図形である。本実施例では、複数のマーク部９１１２の各々には、それぞれ対応する印刷用紙の種類を示す文字が付される。図４に示す例では、複数のマーク部９１１２の各々には、それぞれ対応する印刷用紙の種類として、Ｌ判サイズの大きさで写真画質を実現する写真専用紙を示す「写真用紙‐Ｌ判」の文字，２Ｌ判サイズの写真専用紙を示す「写真用紙‐２Ｌ判」の文字，カードサイズの写真専用紙を示す「写真用紙‐カード」の文字，ハガキサイズの写真専用紙を示す「写真用紙‐ハガキ全面」の文字，Ａ４サイズの写真専用紙を示す「写真用紙‐Ａ４」の文字，標準設定されているＡ４サイズの印刷用紙を示す「フォーマット紙‐Ａ４」の文字がそれぞれ付されている。
【００３２】
オーダシート９１０の印刷態様指定欄９１２０は、読み出された画像データの各々を識別する識別子であるデータ名９１２２と、各画像データに基づく画像を示すインデックス画像９１２１と、各画像データに基づく画像を印刷するか否かを指定する記入をユーザから受け付けるマーク部９１２３とを有する。本実施例では、複数のマーク部９１２３は、内側が空白である楕円状の図形である。本実施例では、インデックス画像９１２１の画質は、その画像データに基づき印刷される画像と同様の画質である。
【００３３】
図５は、第１の実施例において画像を印刷するための情報がユーザによって記入された図４のオーダシート９１０の一例を示す説明図である。図５のオーダシート９１０は、画像を印刷するためにユーザによって記入された情報として、印刷用紙指定欄９１１０の複数のマーク部９１１２の一つの内側を塗り潰したマークＭＫと、印刷態様指定欄９１２０の複数のマーク部９１２３のいくつかの内側を塗り潰したマークＭＫと、印刷態様指定欄９１２０の複数のインデックス画像９１２１のいくつかの上の領域を線で囲むように描かれた枠線ＣＬとを有する。
【００３４】
図５に示す例では、印刷用紙指定欄９１１０には、「写真用紙‐Ｌ判」に対応するマーク部９１１２にマークＭＫが記入され、印刷態様指定欄９１２０には、データ名「ＧＤ０１１０」,「ＧＤ０１１１」、「ＧＤ０１１４」,「ＧＤ０１１６」,「ＧＤ０１１７」，「ＧＤ０１１８」として識別される画像データに対応するマーク部９１２３にマークＭＫが記入され、それらの画像データのうち「ＧＤ０１１０」,「ＧＤ０１１７」として識別される画像データに対応するインデックス画像９１２１に枠線ＣＬが記入されている。
【００３５】
図３の説明に戻り、図４に示したオーダシート９１０が印刷された後（ステップＳ１１０）、図５に示したオーダシート９１０がユーザによって印刷装置１０のスキャナ部１３０にセットされ、図５に示したオーダシート９１０のスキャン要求がユーザによって入力ボタン部１７０を介して入力された際に、印刷装置１０のメイン制御部１１０は、セットされているオーダシート９１０をスキャンする指示をスキャナ部１３０に対して行うことによって、オーダシート９１０をスキャンしたスキャン画像をスキャナ部１３０から取得する（ステップＳ１１５）。
【００３６】
その後、メイン制御部１１０は、スキャナ部１３０から取得したスキャン画像から、印刷用紙指定欄９１１０のマーク部９１１２に記入されたマークＭＫや、印刷態様指定欄９１２０のマーク部９１２３に記入されたマークＭＫ、印刷態様指定欄９１２０のインデックス画像９１２１に記入された枠線ＣＬを認識する（ステップＳ１２０）。
【００３７】
図６は、枠線ＣＬを認識する様子を示す説明図である。本実施例では、印刷装置１０のメイン制御部１１０は、オーダシート９１０を印刷する際（ステップＳ１１０）のインデックス画像９１２１である印刷インデックス画像ＩＧｐと、オーダシート９１０をスキャンする際（ステップＳ１１５）のインデックス画像９１２１であるスキャン・インデックス画像ＩＧｓとの間で色差分値Ｖｃｄを算出し、算出された色差分値Ｖｃｄに示される図形を枠線ＣＬとして認識する。なお、本実施例では、印刷用紙指定欄９１１０のマーク部９１１２や印刷態様指定欄９１２０のマーク部９１２３に記入されたマークＭＫについても、インデックス画像９１２１上の枠線ＣＬの認識と同様に色差分値Ｖｃｄに基づいて認識される。
【００３８】
図３の説明に戻り、マークＭＫおよび枠線ＣＬがスキャン画像から認識された後（ステップＳ１２０）、印刷装置１０のメイン制御部１１０は、オーダシート９１０に示された順序で最初の画像を印刷するための準備を行った後（ステップＳ１３０）、準備された画像を印刷するか否かを判断する（ステップＳ１４０）。本実施例では、スキャンされたオーダシート９１０の印刷態様指定欄９１２０において、準備された画像に対応するマーク部９１２３にマークＭＫの記入が認識されている場合に、その準備された画像を印刷することが決定される。
【００３９】
準備された画像を印刷することが決定されると（ステップＳ１４０）、メイン制御部１１０は、その準備された画像に対応するインデックス画像９１２１上から枠線ＣＬが認識されているか否かを判断する（ステップＳ１５０）。
【００４０】
インデックス画像９１２１上から枠線ＣＬが認識されていると判断された場合には（ステップＳ１５０）、メイン制御部１１０は、読み出された画像データから直接的に描かれる元画像ＳＧをトリミングしたトリミング画像ＴＧを印刷するための準備として、トリミング画像ＴＧのために元画像ＳＧから除去される部位である除去部位ＣＰを特定する（ステップＳ１６０）。その後、メイン制御部１１０は、特定された除去部位ＣＰに基づくトリミング画像ＴＧを印刷するための指示を印刷部１２０に対して行い（ステップＳ１７０）、これによって、トリミング画像ＴＧが印刷される。
【００４１】
図７は、除去部位ＣＰを特定する様子およびトリミング画像ＴＧを印刷する様子を示す説明図である。本実施例では、印刷装置１０のメイン制御部１１０は、特定された枠線ＣＬに近似する矩形を、トリミング画像ＴＧとして印刷される元画像ＳＧ上の領域を区画するトリミング枠ＴＦとして画定し、そのトリミング枠ＴＦの外側を除去部位ＣＰとして特定する（ステップＳ１６０）。その後、メイン制御部１１０は、元画像ＳＧから除去部位ＣＰを切り取ったトリミング画像ＴＧを、印刷用紙指定欄９１１０に指定された印刷用紙に適合する大きさで、その指定された印刷用紙に印刷する（ステップＳ１７０）。
【００４２】
なお、本実施例では、トリミング枠ＴＦは、予め設定されたアスペクト比であって枠線ＣＬに近似する矩形として画定されるが、他の実施形態では、枠線ＣＬに近似する矩形は、予め設定されたアスペクト比である必要はなく、トリミング枠ＴＦで示される元画像ＳＧ上の領域が、予め設定されたアスペクト比となるように拡大・縮小されることとしても良い。
【００４３】
図３の説明に戻り、インデックス画像９１２１上から枠線ＣＬが認識されていないと判断された場合には（ステップＳ１５０）、メイン制御部１１０は、読み出された画像データから直接的に描かれる元画像ＳＧを、印刷用紙指定欄９１１０に指定された印刷用紙に適合する大きさで、その指定された印刷用紙に印刷する（ステップＳ１５５）。
【００４４】
メイン制御部１１０は、オーダシートに示された画像の全てについて上述の処理を行った後（ステップＳ１８０,Ｓ１８５）、図３の画像印刷処理を終了する。なお、元画像ＳＧの印刷（ステップＳ１５５）やトリミング画像ＴＧの印刷（ステップＳ１７０）において印刷される画像は、その画像の画質や、その画像を示す画像データに付加されている撮影時の状況を示す情報に応じて、コントラスト，シャープネス，明度，色温度，色濃度，色調などの画像補正が施されることとしても良い。
【００４５】
以上説明した第１の実施例の画像印刷技術によれば、印刷装置１０は、印刷される画像に対するトリミング処理に関するユーザからの要求を、オーダシート９１０を利用して受け付けることができる。また、ユーザは、トリミング画像ＴＧとして残される元画像ＳＧ上の部位を枠線ＣＬによって直感的に指定することができる。したがって、第１の実施例の画像印刷技術は、オーダシートを利用した画像印刷の利便性を向上させることができる。
【００４６】
Ａ−３．変形例：
以上、本発明の第１の実施例について説明したが、本発明は、前述の実施の形態に何ら限定されるものではなく、本発明の趣旨を逸脱しない範囲内において様々な形態で実施し得ることは勿論である。例えば、印刷インデックス画像ＩＧｐの画質は、第１の実施例では、印刷される際の画像と同様の画質であるが、印刷装置１０のメイン制御部１１０は、オーダシートを印刷する際に（ステップＳ１１０）、スキャン・インデックス画像ＩＧｓ上からの枠線ＣＬの認識精度（ステップＳ１２０）に応じて印刷インデックス画像ＩＧｐの画質を調整しても良い。図８は、変形例における印刷インデックス画像ＩＧｐを示す説明図である。図８には、画質調整の態様と、その画質調整が施された印刷インデックス画像ＩＧｐと、そのスキャン・インデックス画像ＩＧｓとが示されている。図８の一段目には、画質が調整されていない未調整の態様が示され、図８の二段目には、明度が調整された態様が示され、図８の三段目には、彩度が調整された態様が示され、図８の四段目には、印刷インデックス画像ＩＧｐを構成する印刷ドットが間引かれた態様が示されている。なお、印刷ドットを間引く画質の調整においては、印刷装置１０のメイン制御部１１０が、印刷ドットが間引かれた印刷インデックス画像ＩＧｐ用の画像データを生成して実現しても良いし、印刷インデックス画像ＩＧｐが印刷される際に印刷インクのオン・オフを直接的に制御することによって実現しても良い。これらの変形例によれば、スキャン・インデックス画像ＩＧｓ上の枠線ＣＬを認識し易くすることができる。
【００４７】
また、第１の実施例では、トリミング枠ＴＦは、予め設定されたアスペクト比で画定されるとしたが、オーダシートに指定されたアスペクト比で画定されることとしても良い。図９は、変形例におけるオーダシート９１２を示す説明図である。図９のオーダシート９１２は、トリミング枠ＴＦのアスペクト比を指定するための情報の記入をユーザから受け付ける受付欄であるアスペクト比指定欄９１３０を有する以外は、図４のオーダシート９１０と同様である。オーダシート９１２のアスペクト比指定欄９１３０は、複数のアスペクト比に体操する複数のマーク部９１３２を有し、これらのマーク部９１３２は、本実施例では、複数のマーク部９１３２は、内側が空白である楕円状の図形であり、トリミング枠ＴＦのアスペクト比を指定するマークＭＫの記入をユーザから受け付ける。図９に示す例では、複数のマーク部９１３２の各々には、それぞれ対応するトリミング枠ＴＦのアスペクト比として、「４：３」，「３：２」，「１６：９」の各文字がそれぞれ付されている。これによって、ユーザは、所望のアスペクト比をオーダシートで指定することができる。
【００４８】
また、第１の実施例では、枠線ＣＬの認識（ステップＳ１２０）は、印刷インデックス画像ＩＧｐとスキャン・インデックス画像ＩＧｓとの間の色差分値Ｖｃｄを算出することによって行われることとしたが（図６）、スキャン・インデックス画像ＩＧｓから特定色を抽出することによって行われることとしても良い。図１０は、変形例における枠線ＣＬを認識する様子を示す説明図である。図１０に示す例では、印刷装置１０のメイン制御部１１０は、予め設定されている特定色を、スキャン・インデックス画像ＩＧｓから抽出し、その抽出結果Ｖｅｘに示される図形を枠線ＣＬとして認識する。これによって、枠線ＣＬの記入に用いられる筆記具が予め設定されている場合に、枠線ＣＬの認識精度を向上させることができる。この場合における特定色としては、例えば、蛍光色、金属色（金色，銀色）など、印刷装置１０に用いられている印刷インクで表現しにくい色が適切である。なお、印刷用紙指定欄９１１０のマーク部９１１２や印刷態様指定欄９１２０のマーク部９１２３に記入されたマークＭＫについても、インデックス画像９１２１上の枠線ＣＬの認識と同様に抽出結果Ｖｅｘに基づいて認識されることとしても良い。
【００４９】
また、第１の実施例では、トリミング画像ＴＧは、枠線ＣＬに近似する矩形で画定されることとしたが（図７）、枠線ＣＬのそのままの形状で画定されることとしても良い。図１１および図１２は、変形例における除去部位ＣＰを特定する様子およびトリミング画像ＴＧを印刷する様子を示す説明図である。図１１に示す例では、印刷装置１０のメイン制御部１１０は、特定された枠線ＣＬをトリミング枠ＴＦとして画定し、そのトリミング枠ＴＦの外側を除去部位ＣＰとして特定する（ステップＳ１６０）。その後、メイン制御部１１０は、元画像ＳＧの除去部位ＣＰを空白部ＢＰに置き換えたトリミング画像ＴＧを、印刷用紙指定欄９１１０に指定された印刷用紙に適合する大きさで、その指定された印刷用紙に印刷する（ステップＳ１７０）。図１２に示す例では、メイン制御部１１０は、図１１の例と同様にして除去部位ＣＰを特定した後（ステップＳ１６０）、元画像ＳＧの除去部位ＣＰを空白部ＢＰに置き換え拡大したトリミング画像ＴＧを、印刷用紙指定欄９１１０に指定された印刷用紙に適合する大きさで、その指定された印刷用紙に印刷する（ステップＳ１７０）。なお、これらの変形例では、枠線ＣＬは、矩形状である必要はなく、三角形状や丸状，星型状など自由な形状であっても良い。また、これらの変形例では、空白部ＢＰに模様が施されることとしても良い。
【００５０】
また、印刷装置１０のメイン制御部１１０は、除去部位ＣＰを特定した後（ステップＳ１６０）、トリミング画像ＴＧの適合性を判断することとしても良い。図１３は、変形例における画像印刷処理を示すフローチャートである。印刷装置１０のメイン制御部１１０は、除去部位ＣＰを特定した後（ステップＳ１６０）、トリミング画像ＴＧが予め設定された基準値を満たすか否かを判断する（ステップＳ１６２）。トリミング画像ＴＧの適合性を判断するための基準値は、トリミング画像ＴＧのアスペクト比であって良いし、元画像ＳＧに対するトリミング枠ＴＦの大きさであっても良い。トリミング画像ＴＧが基準値を満たさない場合には（ステップＳ１６４）、メイン制御部１１０は、ディスプレイ部１６０やスピーカ（図示しない）を介してユーザに対して画像や音声による警告を行う（ステップＳ１６４）。その後、メイン制御部１１０は、元画像ＳＧ上にトリミング枠ＴＦを重ね合わせた画像をディスプレイ部１６０に表示して、トリミング枠ＴＦを修正するための指示をユーザからの入力ボタン部１７０を介して受け付け（ステップＳ１６６）、修正されたトリミング画像ＴＧの印刷を行う（ステップＳ１７０）。なお、この変形例では、トリミング画像ＴＧが基準値を満たす場合に（ステップＳ１６４）、そのままトリミング画像ＴＧが印刷されることとしたが、トリミング画像ＴＧが基準値を満たす場合であっても、トリミング枠ＴＦの修正受付（ステップＳ１６６）が行われることとしても良い。また、トリミング画像ＴＧが基準値を満たさない場合に（ステップＳ１６４）、トリミング枠ＴＦの修正受付（ステップＳ１６６）に代えて、印刷装置１０のメイン制御部１１０が、トリミング枠ＴＦを基準値に合わせ込むことによって修正を行うこととしても良い。
【００５１】
Ｂ．第２の実施例（塗り潰しによるトリミング範囲の指定）：
第２の実施例における印刷装置１０の構成および動作は、枠線に代えて塗り潰しによってトリミング範囲が指定される点以外、第１の実施例における印刷装置１０の構成および動作と同様である。
【００５２】
図１４は、第２の実施例において印刷装置１０のメイン制御部１１０によって実行される画像印刷処理を示すフローチャートである。  印刷装置１０のメイン制御部１１０は、第１の実施例と同様に、図４に示したオーダシート９１０の印刷を行った後（ステップＳ１１０）、画像を印刷するための情報がユーザによって記入されたオーダシート９１０のスキャンを行う（ステップＳ１１５）。
【００５３】
図１５は、第２の実施例において画像を印刷するための情報がユーザによって記入された図４のオーダシート９１０の一例を示す説明図である。図１５のオーダシート９１０は、画像を印刷するためにユーザによって記入された情報として、印刷用紙指定欄９１１０の複数のマーク部９１１２の一つの内側を塗り潰したマークＭＫと、印刷態様指定欄９１２０の複数のマーク部９１２３のいくつかの内側を塗り潰したマークＭＫと、印刷態様指定欄９１２０の複数のインデックス画像９１２１のいくつかの上を塗り潰すように描かれた塗り潰し領域ＰＯとを有する。
【００５４】
図１５に示す例では、印刷用紙指定欄９１１０には、「写真用紙‐カード」に対応するマーク部９１１２にマークＭＫが記入され、印刷態様指定欄９１２０には、データ名「ＧＤ０１１０」,「ＧＤ０１１１」、「ＧＤ０１１４」,「ＧＤ０１１６」,「ＧＤ０１１７」，「ＧＤ０１１８」として識別される画像データに対応するマーク部９１２３にマークＭＫが記入され、それらの画像データのうち「ＧＤ０１１０」,「ＧＤ０１１７」として識別される画像データに対応するインデックス画像９１２１に塗り潰し領域ＰＯが記入されている。
【００５５】
図１４の説明に戻り、図１５に示したオーダシート９１０がスキャンされた後（ステップＳ１１５）、メイン制御部１１０は、スキャナ部１３０から取得したスキャン画像から、印刷用紙指定欄９１１０のマーク部９１１２に記入されたマークＭＫや、印刷態様指定欄９１２０のマーク部９１２３に記入されたマークＭＫ、印刷態様指定欄９１２０のインデックス画像９１２１に記入された塗り潰し領域ＰＯを認識する（ステップＳ２２０）。なお、マークＭＫや塗り潰し領域ＰＯの認識は、印刷インデックス画像ＩＧｐとスキャン・インデックス画像ＩＧｓとの間の色差分値Ｖｃｄを用いても良いし、特定色の抽出結果Ｖｅｘを用いても良い。
【００５６】
マークＭＫおよび塗り潰し領域ＰＯがスキャン画像から認識された後（ステップＳ２２０）、印刷装置１０のメイン制御部１１０は、オーダシート９１０に示された順序で最初の画像を印刷するための準備を行った後（ステップＳ１３０）、準備された画像を印刷するか否かを判断する（ステップＳ１４０）。準備された画像を印刷することが決定されると（ステップＳ１４０）、メイン制御部１１０は、その準備された画像に対応するインデックス画像９１２１上から塗り潰し領域ＰＯが認識されているか否かを判断する（ステップＳ２５０）。インデックス画像９１２１上から塗り潰し領域ＰＯが認識されていると判断された場合には（ステップＳ２５０）、メイン制御部１１０は、除去部位ＣＰを特定し（ステップＳ１６０）、トリミング画像ＴＧの印刷を行う（ステップＳ１７０）。
【００５７】
図１６は、第２の実施例における除去部位ＣＰを特定する様子およびトリミング画像ＴＧを印刷する様子を示す説明図である。第２の実施例では、印刷装置１０のメイン制御部１１０は、特定された塗り潰し領域ＰＯに囲まれる部位に近似する矩形をトリミング枠ＴＦとして画定し、そのトリミング枠ＴＦの外側を除去部位ＣＰとして特定する（ステップＳ１６０）。その後、メイン制御部１１０は、元画像ＳＧから除去部位ＣＰを切り取ったトリミング画像ＴＧを、印刷用紙指定欄９１１０に指定された印刷用紙に適合する大きさで、その指定された印刷用紙に印刷する（ステップＳ１７０）。
【００５８】
なお、本実施例では、トリミング枠ＴＦは、予め設定されたアスペクト比であって塗り潰し領域ＰＯに囲まれる部位に近似する矩形として画定されるが、他の実施形態では、塗り潰し領域ＰＯに囲まれる部位に近似する矩形は、予め設定されたアスペクト比である必要はなく、トリミング枠ＴＦで示される元画像ＳＧ上の領域が、予め設定されたアスペクト比となるように拡大・縮小されることとしても良い。
【００５９】
以上説明した第２の実施例の画像印刷技術によれば、印刷装置１０は、印刷される画像に対するトリミング処理に関するユーザからの要求を、オーダシート９１０を利用して受け付けることができる。また、ユーザは、元画像ＳＧから削除される除去部位ＣＰを塗り潰し領域ＰＯによって直感的に指定することができる。したがって、第２の実施例の画像印刷技術は、オーダシートを利用した画像印刷の利便性を向上させることができる。
【００６０】
Ｃ．第３の実施例（格子線によるトリミング範囲の指定）：
第３の実施例における印刷装置１０の構成および動作は、枠線に代えて格子線によってトリミング範囲が指定される点以外、第１の実施例における印刷装置１０の構成および動作と同様である。
【００６１】
図１７は、第３の実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、第１の実施例とは異なるオーダシートの印刷を行う（ステップＳ１１０）。
【００６２】
図１８は、第３の実施例において印刷装置１０によって印刷されたオーダシート９３０の一例を示す説明図である。図１８のオーダシート９３０は、第１の実施例における図４のオーダシート９１０と同様に、マーク部９３１２を有する印刷用紙指定欄９３１０と、インデックス画像９３２１，データ名９３２２，マーク部９３２３を有する印刷態様指定欄９３２０とを備えるが、インデックス画像９３２１上に格子線９３３０が付されている点が異なる。本実施例では、格子線９３３０は、インデックス画像９３２１上に縦および横にそれぞれ同数の点線を等間隔に配置して構成され、図１８に示す例では、縦および横にそれぞれ７本の点線を等間隔に配置して構成される。
【００６３】
図１９は、第３の実施例において画像を印刷するための情報がユーザによって記入された図１８のオーダシート９３０の一例を示す説明図である。図１９のオーダシート９３０は、画像を印刷するためにユーザによって記入された情報として、印刷用紙指定欄９３１０の複数のマーク部９３１２の一つの内側を塗り潰したマークＭＫと、印刷態様指定欄９３２０の複数のマーク部９３２３のいくつかの内側を塗り潰したマークＭＫと、印刷態様指定欄９３２０の複数のインデックス画像９３２１のいくつかの上の格子線９３３０に沿って描かれた線分ＬＳとを有する
【００６４】
図１９に示す例では、印刷用紙指定欄９３１０には、「写真用紙‐Ｌ判」に対応するマーク部９３１２にマークＭＫが記入され、印刷態様指定欄９３２０には、データ名「ＧＤ０３１０」,「ＧＤ０３１１」、「ＧＤ０３１４」,「ＧＤ０３１６」,「ＧＤ０３１７」，「ＧＤ０３１８」として識別される画像データに対応するマーク部９３２３にマークＭＫが記入され、それらの画像データのうち「ＧＤ０３１０」, 「ＧＤ０３１１」, 「ＧＤ０３１４」,「ＧＤ０３１７」として識別される画像データに対応するインデックス画像９３２１に線分ＬＳが記入されている。
【００６５】
図１９に示す例では、データ名「ＧＤ０３１０」に対応する線分ＬＳは、インデックス画像９３２１の中央に区画された「５×５」の矩形を囲む四本の線分であり、データ名「ＧＤ０３１１」に対応する線分ＬＳは、インデックス画像９３２１の角部を含む「５×５」の矩形を囲む二本の線分であり、データ名「ＧＤ０３１４」に対応する線分ＬＳは、インデックス画像９３２１の一辺の一部を含む「５×５」の矩形を囲む三本の線分であり、データ名「ＧＤ０３１７」に対応する線分ＬＳは、インデックス画像９３２１を二つに仕切る一本の線分である。
【００６６】
図１７の説明に戻り、図１８に示したオーダシート９３０の印刷（ステップＳ１１０）、図１９に示したオーダシート９３０のスキャン（ステップＳ１１５）が行われた後、印刷装置１０のメイン制御部１１０は、スキャナ部１３０から取得したスキャン画像から、印刷用紙指定欄９３１０のマーク部９３１２に記入されたマークＭＫや、印刷態様指定欄９３２０のマーク部９３２３に記入されたマークＭＫ、印刷態様指定欄９３２０のインデックス画像９３２１に記入された線分ＬＳを認識する（ステップＳ３２０）。なお、マークＭＫや線分ＬＳの認識は、印刷インデックス画像ＩＧｐとスキャン・インデックス画像ＩＧｓとの間の色差分値Ｖｃｄを用いても良いし、特定色の抽出結果Ｖｅｘを用いても良い。
【００６７】
マークＭＫおよび線分ＬＳがスキャン画像から認識された後（ステップＳ３２０）、印刷装置１０のメイン制御部１１０は、オーダシート９３０に示された順序で最初の画像を印刷するための準備を行った後（ステップＳ１３０）、準備された画像を印刷するか否かを判断する（ステップＳ１４０）。準備された画像を印刷することが決定されると（ステップＳ１４０）、メイン制御部１１０は、その準備された画像に対応するインデックス画像９３２１上から線分ＬＳが認識されているか否かを判断する（ステップＳ３５０）。インデックス画像９３２１上から線分ＬＳが認識されていると判断された場合には（ステップＳ３５０）、メイン制御部１１０は、除去部位ＣＰを特定し（ステップＳ１６０）、トリミング画像ＴＧの印刷を行う（ステップＳ１７０）。
【００６８】
図２０は、第３の実施例における除去部位ＣＰを特定する様子およびトリミング画像ＴＧを印刷する様子を示す説明図である。第３の実施例では、印刷装置１０のメイン制御部１１０は、特定された線分ＬＳに近接する格子線９３３０で区画された矩形をトリミング枠ＴＦとして画定し、そのトリミング枠ＴＦの外側を除去部位ＣＰとして特定する（ステップＳ１６０）。その後、メイン制御部１１０は、元画像ＳＧから除去部位ＣＰを切り取ったトリミング画像ＴＧを、印刷用紙指定欄９１１０に指定された印刷用紙に適合する大きさで、その指定された印刷用紙に印刷する（ステップＳ１７０）。
【００６９】
例えば、図１９に示したオーダシート９３０の場合には、データ名「ＧＤ０３１０」に関しては、インデックス画像９３２１の中央に区画された「５×５」の矩形がトリミング枠ＴＦとして画定され、データ名「ＧＤ０３１１」に関しては、インデックス画像９３２１の角部を含む「５×５」の矩形がトリミング枠ＴＦとして画定され、データ名「ＧＤ０３１４」に関しては、インデックス画像９３２１の一辺の一部を含む「５×５」の矩形がトリミング枠ＴＦとして画定され、データ名「ＧＤ０３１７」に関しては、線分ＬＳによって仕切られた二つ矩形のうち面積の大きい方の矩形がトリミング枠ＴＦとして画定される。
【００７０】
以上説明した第３の実施例の画像印刷技術によれば、印刷装置１０は、印刷される画像に対するトリミング処理に関するユーザからの要求を、オーダシート９３０を利用して受け付けることができる。また、ユーザは、元画像ＳＧから削除される除去部位ＣＰを、格子線９３３０に沿った線分ＬＳによって正確に指定することができる。また、格子線９３３０によって囲まれる個々の矩形のアスペクト比は、印刷されるトリミング画像ＴＧのアスペクト比と同一であるため、横および縦で矩形の個数を同数に揃えることによって、印刷されるトリミング画像ＴＧのアスペクト比を適切な値に維持することができる。したがって、第３の実施例の画像印刷技術は、オーダシートを利用した画像印刷の利便性を向上させることができる。
【００７１】
Ｄ．第４の実施例（定規によるトリミング範囲の指定）：
第４の実施例における印刷装置１０の構成および動作は、枠線に代えて定規を用いてトリミング範囲が指定される点以外、第１の実施例における印刷装置１０の構成および動作と同様である。
【００７２】
図２１は、第４の実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、第１の実施例とは異なるオーダシートの印刷を行う（ステップＳ１１０）。
【００７３】
図２２は、第４の実施例において印刷装置１０によって印刷されたオーダシート９４０の一例を示す説明図である。図２２のオーダシート９４０は、第１の実施例における図４のオーダシート９１０と同様に、マーク部９４１２を有する印刷用紙指定欄９４１０と、インデックス画像９４２１，データ名９４２２，マーク部９４２３を有する印刷態様指定欄９４２０とを備えるが、インデックス画像９４２１に縦定規９４３２および横定規９４３４が付されている点が異なる。本実施例では、縦定規９４３２および横定規９４３４の各々は、等間隔に区切られ、各間隔には内側が空白である丸状の目盛を有する。
【００７４】
図２３は、第４の実施例において画像を印刷するための情報がユーザによって記入された図２２のオーダシート９４０の一例を示す説明図である。図２３のオーダシートは、画像を印刷するためにユーザによって記入された情報として、印刷用紙指定欄９４１０の複数のマーク部９４１２の一つの内側を塗り潰したマークＭＫと、印刷態様指定欄９４２０の複数のマーク部９４２３のいくつかの内側を塗り潰したマークＭＫと、印刷態様指定欄９４２０の複数のインデックス画像９４２１のいくつかに付された縦定規９４３２および横定規９４３４を塗り潰した目盛ＳＣ１，ＳＣ２，ＳＣ３，ＳＣ４とを有する。本実施例では、一つのインデックス画像９４２１に関して、その縦定規９４３２には、一組の目盛ＳＣ１，ＳＣ２が記入され、その横定規９４３４には、一組の目盛ＳＣ３，ｓｃ４が記入され、合計二組の目盛ＳＣ１，ＳＣ２および目盛ＳＣ３，ＳＣ４が記入されている。
【００７５】
図２３に示す例では、印刷用紙指定欄９４１０には、「写真用紙‐Ｌ判」に対応するマーク部９４１２にマークＭＫが記入され、印刷態様指定欄９４２０には、データ名「ＧＤ０４１０」,「ＧＤ０４１３」、「ＧＤ０４１４」,「ＧＤ０４１６」として識別される画像データに対応するマーク部９４２３にマークＭＫが記入され、それらの画像データのうち「ＧＤ０４１０」,「ＧＤ０４１４」として識別される画像データに対応するインデックス画像９３２１にそれぞれ二組の目盛ＳＣ１，ＳＣ２および目盛ＳＣ３，ＳＣ４が記入されている。
【００７６】
図２１の説明に戻り、図２２に示したオーダシート９４０の印刷（ステップＳ１１０）、図２３に示したオーダシート９４０のスキャン（ステップＳ１１５）が行われた後、印刷装置１０のメイン制御部１１０は、スキャナ部１３０から取得したスキャン画像から、印刷用紙指定欄９４１０のマーク部９４１２に記入されたマークＭＫや、印刷態様指定欄９４２０のマーク部９４２３に記入されたマークＭＫ、印刷態様指定欄９４２０のインデックス画像９３２１に記入された二組の目盛ＳＣ１，ＳＣ２および目盛ＳＣ３，ＳＣ４を認識する（ステップＳ４２０）。
【００７７】
マークＭＫや二組の目盛ＳＣ１，ＳＣ２および目盛ＳＣ３，ＳＣ４がスキャン画像から認識された後（ステップＳ４２０）、印刷装置１０のメイン制御部１１０は、オーダシート９４０に示された順序で最初の画像を印刷するための準備を行った後（ステップＳ１３０）、準備された画像を印刷するか否かを判断する（ステップＳ１４０）。準備された画像を印刷することが決定されると（ステップＳ１４０）、メイン制御部１１０は、その準備された画像に対応するインデックス画像９４２１に記入された二組の目盛ＳＣ１，ＳＣ２および目盛ＳＣ３，ＳＣ４が認識されているか否かを判断する（ステップＳ４５０）。インデックス画像９４２１上から二組の目盛ＳＣ１，ＳＣ２および目盛ＳＣ３，ＳＣ４が認識されていると判断された場合には（ステップＳ４５０）、メイン制御部１１０は、除去部位ＣＰを特定し（ステップＳ１６０）、トリミング画像ＴＧの印刷を行う（ステップＳ１７０）。
【００７８】
図２４は、第４の実施例における除去部位ＣＰを特定する様子およびトリミング画像ＴＧを印刷する様子を示す説明図である。第４の実施例では、印刷装置１０のメイン制御部１１０は、特定された二組の目盛ＳＣ１，ＳＣ２および目盛ＳＣ３，ＳＣ４の中心からそれぞれ延びる垂線ＰＤ１，ＰＤ２および垂線ＰＤ３，ＰＤ４で囲まれる矩形をトリミング枠ＴＦとして画定し、そのトリミング枠ＴＦの外側を除去部位ＣＰとして特定する（ステップＳ１６０）。その後、メイン制御部１１０は、元画像ＳＧから除去部位ＣＰを切り取ったトリミング画像ＴＧを、印刷用紙指定欄９１１０に指定された印刷用紙に適合する大きさで、その指定された印刷用紙に印刷する（ステップＳ１７０）。
【００７９】
以上説明した第４の実施例の画像印刷技術によれば、印刷装置１０は、印刷される画像に対するトリミング処理に関するユーザからの要求を、オーダシート９４０を利用して受け付けることができる。また、ユーザは、トリミング画像ＴＧとして残される元画像ＳＧ上の部位を正確に指定することができる。したがって、第４の実施例の画像印刷技術は、オーダシートを利用した画像印刷の利便性を向上させることができる。
【００８０】
Ｅ．第５の実施例（定規によるトリミング範囲の指定）：
第４の実施例における印刷装置１０の構成および動作は、枠線に代えて定規を用いてトリミング範囲が指定される点以外、第１の実施例における印刷装置１０の構成および動作と同様である。
【００８１】
図２５は、第５の実施例において印刷装置１０のメイン制御部１１０によって実行される画像印刷処理を示すフローチャートである。印刷装置１０のメイン制御部１１０は、第４の実施例と同様に、図２２に示したオーダシート９４０の印刷を行った後（ステップＳ１１０）、画像を印刷するための情報がユーザによって記入されたオーダシート９４０のスキャンを行う（ステップＳ１１５）。
【００８２】
図２６は、第５の実施例において画像を印刷するための情報がユーザによって記入された図２２のオーダシート９４０の一例を示す説明図である。図２６のオーダシートは、画像を印刷するためにユーザによって記入された情報として、印刷用紙指定欄９４１０の複数のマーク部９４１２の一つの内側を塗り潰したマークＭＫと、印刷態様指定欄９４２０の複数のマーク部９４２３のいくつかの内側を塗り潰したマークＭＫと、印刷態様指定欄９４２０の複数のインデックス画像９４２１のいくつかに付された縦定規９４３２を塗り潰した目盛ＳＣｖと、印刷態様指定欄９４２０の複数のインデックス画像９４２１のいくつかに付された横定規９４３４を塗り潰した目盛ＳＣｈとを有する。
【００８３】
図２６に示す例では、印刷用紙指定欄９４１０には、「写真用紙‐カード」に対応するマーク部９４１２にマークＭＫが記入され、印刷態様指定欄９４２０には、データ名「ＧＤ０４１０」,「ＧＤ０４１３」、「ＧＤ０４１４」,「ＧＤ０４１６」として識別される画像データに対応するマーク部９４２３にマークＭＫが記入され、データ名「ＧＤ０４１０」の画像データに関しては目盛ＳＣｖおよび目盛ＳＣｈが記入され、データ名「ＧＤ０４１３」の画像データに関しては目盛ＳＣｈが記入され、データ名「ＧＤ０４１４」の画像データに関しては目盛ＳＣｖが記入されている。
【００８４】
図２５の説明に戻り、図２６に示したオーダシート９４０がスキャンされた後（ステップＳ１１５）、メイン制御部１１０は、スキャナ部１３０から取得したスキャン画像から、印刷用紙指定欄９４１０のマーク部９４１２に記入されたマークＭＫや、印刷態様指定欄９４２０のマーク部９４２３に記入されたマークＭＫ、印刷態様指定欄９４２０のインデックス画像９１２１に記入された目盛ＳＣｖおよび目盛ＳＣｈを認識する（ステップＳ５２０）。
【００８５】
マークＭＫや目盛ＳＣｖ，目盛ＳＣｈがスキャン画像から認識された後（ステップＳ５２０）、印刷装置１０のメイン制御部１１０は、オーダシート９４０に示された順序で最初の画像を印刷するための準備を行った後（ステップＳ１３０）、準備された画像を印刷するか否かを判断する（ステップＳ１４０）。準備された画像を印刷することが決定されると（ステップＳ１４０）、メイン制御部１１０は、その準備された画像に対応するインデックス画像９４２１に記入された目盛ＳＣｖおよび目盛ＳＣｈの少なくとも一方が認識されているか否かを判断する（ステップＳ５５０）。インデックス画像９４２１上から目盛ＳＣｖおよび目盛ＳＣｈの少なくとも一方が認識されていると判断された場合には（ステップＳ５５０）、メイン制御部１１０は、除去部位ＣＰを特定し（ステップＳ１６０）、トリミング画像ＴＧの印刷を行う（ステップＳ１７０）。
【００８６】
図２７は、第５の実施例における除去部位ＣＰを特定する様子およびトリミング画像ＴＧを印刷する様子を示す説明図である。第５の実施例では、印刷装置１０のメイン制御部１１０は、目盛ＳＣｖで示されるインデックス画像９４２１の横方向の領域と、目盛ＳＣｈで示されるインデックス画像９４２１の縦方向の領域とを合わせた対応領域ＣＯで囲まれる矩形を、トリミング枠ＴＦとして画定し、そのトリミング枠ＴＦの外側を除去部位ＣＰとして特定する（ステップＳ１６０）。その後、メイン制御部１１０は、元画像ＳＧから除去部位ＣＰを切り取ったトリミング画像ＴＧを、印刷用紙指定欄９１１０に指定された印刷用紙に適合する大きさで、その指定された印刷用紙に印刷する（ステップＳ１７０）。
【００８７】
なお、例えば、図２６に示したオーダシート９４０の場合には、データ名「ＧＤ０４１３」に関しては、目盛ＳＣｈで示されるインデックス画像９４２１の縦方向の対応領域ＣＯを除いた矩形がトリミング枠ＴＦとして画定され、データ名「ＧＤ０４１４」に関しては、目盛ＳＣｖで示されるインデックス画像９４２１の横方向の対応領域ＣＯを除いた矩形がトリミング枠ＴＦとして画定される。
【００８８】
以上説明した第５の実施例の画像印刷技術によれば、印刷装置１０は、印刷される画像に対するトリミング処理に関するユーザからの要求を、オーダシート９４０を利用して受け付けることができる。また、ユーザは、元画像ＳＧから削除される除去部位ＣＰを正確に指定することができる。したがって、第５の実施例の画像印刷技術は、オーダシートを利用した画像印刷の利便性を向上させることができる。
【００８９】
Ｆ．第６の実施例（トリミングパターンによるトリミング範囲の指定）：
第６の実施例における印刷装置１０の構成および動作は、枠線に代えてトリミングパターンを用いてトリミング範囲が指定される点以外、第１の実施例における印刷装置１０の構成および動作と同様である。
【００９０】
図２８は、第６の実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、第１の実施例とは異なるオーダシートの印刷を行う（ステップＳ１１０）。
【００９１】
図２９は、第６の実施例において印刷装置１０によって印刷されたオーダシート９６０の一例を示す説明図である。図２９のオーダシート９６０は、第１の実施例における図４のオーダシート９１０が有する印刷用紙指定欄９１１０と同様の印刷用紙指定欄９６１０と、画像データに基づく画像の個々に関する印刷態様を指定するための情報の記入をユーザから受け付ける受付欄である印刷態様指定欄９６２０とを有する。
【００９２】
オーダシート９６０の印刷態様指定欄９６２０は、読み出された画像データの各々を識別する識別子であるデータ名９６２２と、各画像データに基づく画像を示すインデックス画像９６２１と、その画像をトリミングなしで印刷する指示の記入をユーザから受け付けるマーク部９６３０と、インデックス画像９６２１上に付された矩形状の図形である複数のトリミングパターンＴＰ１，ＴＰ２，ＴＰ３と、各トリミングパターンＴＰ１，ＴＰ２，ＴＰ３にそれぞれ対応し画像をトリミングして印刷する指示の記入をユーザから受け付ける候補マーク部９６３１，９６３２，９６３３とを有する。本実施例では、各トリミングパターンＴＰ１，ＴＰ２，ＴＰ３の形状は、予め設定された画像解析基準に基づいて画像毎に決定される。
【００９３】
図３０は、第６の実施例において画像を印刷するための情報がユーザによって記入された図２９のオーダシート９６０の一例を示す説明図である。図３０のオーダシート９６０は、画像を印刷するためにユーザによって記入された情報として、印刷用紙指定欄９６１０の複数のマーク部９６１２の一つの内側を塗り潰したマークＭＫと、印刷態様指定欄９６２０のマーク部９６３０および候補マーク部９６３１，９６３２，９６３３のいくつかの内側を塗り潰したマークＭＫとを有する
【００９４】
図３０に示す例では、印刷用紙指定欄９６１０には、「写真用紙‐２Ｌ判」に対応するマーク部９６１２にマークＭＫが記入され、印刷態様指定欄９６２０には、データ名「ＧＤ０６１０」に関しては、トリミングパターンＴＰ２に対応する候補マーク部９６３２にマークＭＫが記入され、データ名「ＧＤ０６１１」に関しては、マーク部９６３０にマークＭＫが記入され、データ名「ＧＤ０６１２」に関してはマークＭＫの記入はなく、データ名「ＧＤ０６１３」に関しては、トリミングパターンＴＰ１に対応する候補マーク部９６３１にマークＭＫが記入されている。
【００９５】
図２８の説明に戻り、図２９に示したオーダシート９６０の印刷（ステップＳ１１０）、図３０に示したオーダシート９６０のスキャン（ステップＳ１１５）が行われた後、印刷装置１０のメイン制御部１１０は、スキャナ部１３０から取得したスキャン画像から、印刷用紙指定欄９６１０のマーク部９６１２に記入されたマークＭＫや、印刷態様指定欄９３２０のマーク部９６３０および候補マーク部９６３１，９６３２，９６３３に記入されたマークＭＫを認識する（ステップＳ６２０）。
【００９６】
マークＭＫがスキャン画像から認識された後（ステップＳ６２０）、印刷装置１０のメイン制御部１１０は、オーダシート９６０に示された順序で最初の画像を印刷するための準備を行った後（ステップＳ１３０）、準備された画像を印刷するか否か、すなわち、マーク部９６３０および候補マーク部９６３１，９６３２，９６３３のいずれかにマークＭＫが認識されたか否かを判断する（ステップＳ１４０）。準備された画像を印刷することが決定されると（ステップＳ１４０）、候補マーク部９６３１，９６３２，９６３３のいずれかにマークＭＫが認識されたか否かを判断する（ステップＳ６５０）。候補マーク部９６３１，９６３２，９６３３のいずれかにマークＭＫが認識さていると判断された場合には（ステップＳ６５０）、メイン制御部１１０は、除去部位ＣＰを特定し（ステップＳ１６０）、トリミング画像ＴＧの印刷を行う（ステップＳ１７０）。
【００９７】
図３１は、第６の実施例における除去部位ＣＰを特定する様子およびトリミング画像ＴＧを印刷する様子を示す説明図である。第６の実施例では、印刷装置１０のメイン制御部１１０は、複数のトリミングパターンＴＰ１，ＴＰ２，ＴＰ３のうちマークＭＫが記入された候補マークに対応するトリミングパターンＴＰｃを、トリミング枠ＴＦとして画定し、そのトリミング枠ＴＦの外側を除去部位ＣＰとして特定する（ステップＳ１６０）。その後、メイン制御部１１０は、元画像ＳＧから除去部位ＣＰを切り取ったトリミング画像ＴＧを、印刷用紙指定欄９１１０に指定された印刷用紙に適合する大きさで、その指定された印刷用紙に印刷する（ステップＳ１７０）。
【００９８】
以上説明した第６の実施例の画像印刷技術によれば、印刷装置１０は、印刷される画像に対するトリミング処理に関するユーザからの要求を、オーダシート９６０を利用して受け付けることができる。また、ユーザは、トリミングパターンＴＰ１，ＴＰ２，ＴＰ３の一つを選択することによって、トリミング画像ＴＧとして残される画像上の部位を容易に指定することができる。したがって、第６の実施例の画像印刷技術は、オーダシートを利用した画像印刷の利便性を向上させることができる。
【００９９】
Ｇ．第７の実施例（トリミング実施の指定）：
第７の実施例における印刷装置１０の構成および動作は、枠線によるトリミング範囲の指定に代えて、オーダシートを用いてトリミングの要否の指定をユーザから受け付けた後、ユーザからトリミングの調整を受け付ける点以外、第１の実施例における印刷装置１０の構成および動作と同様である。
【０１００】
図３２は、第７の実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、第１の実施例とは異なるオーダシートの印刷を行う（ステップＳ１１０）。
【０１０１】
図３３は、第７の実施例において印刷装置１０によって印刷されたオーダシート９７０の一例を示す説明図である。図３３のオーダシート９７０は、第１の実施例における図４のオーダシート９１０が有する印刷用紙指定欄９１１０と同様の印刷用紙指定欄９７１０と、画像データに基づく画像の個々に関する印刷態様を指定するための情報の記入をユーザから受け付ける受付欄である印刷態様指定欄９７２０とを有する。オーダシート９７０の印刷態様指定欄９７２０は、読み出された画像データの各々を識別する識別子であるデータ名９７２２と、各画像データに基づく画像を示すインデックス画像９７２１と、その画像をトリミングなしで印刷する指示の記入をユーザから受け付けるマーク部９７２３と、その画像をトリミングして印刷する指示の記入をユーザから受け付けるマーク部９７２４とを有する。
【０１０２】
図３４は、第７の実施例において画像を印刷するための情報がユーザによって記入された図３３のオーダシート９７０の一例を示す説明図である。図３４のオーダシート９７０は、画像を印刷するためにユーザによって記入された情報として、印刷用紙指定欄９７１０の複数のマーク部９７１２の一つの内側を塗り潰したマークＭＫと、印刷態様指定欄９７２０のマーク部９７２３やマーク部９７２４を塗り潰したマークＭＫとを有する
【０１０３】
図３４に示す例では、印刷用紙指定欄９７１０には、「写真用紙‐カード」に対応するマーク部９７１２にマークＭＫが記入され、印刷態様指定欄９７２０には、データ名「ＧＤ０７１０」，「ＧＤ０７１５」に関しては、マーク部９７２４にマークＭＫが記入され、データ名「ＧＤ０７１１」，「ＧＤ０７１２」，「ＧＤ０７１３」，「ＧＤ０７１６」，「ＧＤ０７１７」，「ＧＤ０７１８」に関しては、マーク部９７２３にマークＭＫが記入され、データ名「ＧＤ０７１４」に関しては、マーク部９７２３，９７２４のいずれにもマークＭＫが記入されていない。
【０１０４】
図３２の説明に戻り、図３３に示したオーダシート９７０の印刷（ステップＳ１１０）、図３４に示したオーダシート９７０のスキャン（ステップＳ１１５）が行われた後、印刷装置１０のメイン制御部１１０は、スキャナ部１３０から取得したスキャン画像から、印刷用紙指定欄９７１０のマーク部９７１２に記入されたマークＭＫや、印刷態様指定欄９７２０のマーク部９７２３，９７２４に記入されたマークＭＫを認識する（ステップＳ７２０）。
【０１０５】
マークＭＫがスキャン画像から認識された後（ステップＳ７２０）、印刷装置１０のメイン制御部１１０は、オーダシート９７０に示された順序で最初の画像を印刷するための準備を行った後（ステップＳ１３０）、準備された画像を印刷するか否か、すなわち、マーク部９７２３，９７２４のいずれか一方にマークＭＫが認識されたか否かを判断する（ステップＳ１４０）。準備された画像を印刷することが決定されると（ステップＳ１４０）、マーク部９７２４にマークＭＫが認識されたか否かを判断する（ステップＳ７５０）。マーク部９７２４にマークＭＫが認識さていると判断された場合には（ステップＳ７５０）、メイン制御部１１０は、元画像ＳＧ上にトリミング枠ＴＦを重ね合わせた画像をディスプレイ部１６０に表示して、トリミング画像ＴＧを調整するための指示をユーザからの入力ボタン部１７０を介して受け付ける（ステップＳ７６０）。その後、メイン制御部１１０は、調整されたトリミング画像ＴＧの印刷を行う（ステップＳ１７０）。
【０１０６】
以上説明した第７の実施例の画像印刷技術によれば、印刷装置１０は、印刷される画像に対するトリミング処理の要否に関するユーザからの要求を、オーダシート９７０を利用して受け付けることができる。したがって、第７の実施例の画像印刷技術は、オーダシートを利用した画像印刷の利便性を向上させることができる。
【０１０７】
Ｈ．第８の実施例（フチなし印刷の指定）：
第８の実施例における印刷装置１０の構成および動作は、枠線によるトリミング範囲の指定に代えて、オーダシートを用いて「トリミングの要否」および「フチなし印刷の要否」の指定をユーザから受け付けた後、ユーザからトリミングの調整を受け付ける点以外、第１の実施例における印刷装置１０の構成および動作と同様である。
【０１０８】
本説明において、「フチなし印刷」は、印刷媒体９００のフチ（縁）に余白ができないように印刷する機能を意味する。本実施例では、「フチなし印刷」は、印刷画像を印刷媒体９００よりも大きめに印刷することによって実現されるが、印刷媒体９００からの印刷画像のはみ出しをなくすために、印刷画像を印刷媒体９００と同じ大きさに印刷することによって実現しても良い。図３５は、フチあり状態で画像が印刷された印刷媒体９００の一例を示す説明図である。「フチなし印刷」が必要とされない通常印刷の場合、すなわち「フチあり印刷」の場合には、図３５に示す様に、印刷媒体９００のフチには余白９０６が形成され、余白９０６に囲まれた印刷領域９０２に画像が印刷される。
【０１０９】
図３６は、第８の実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、第１の実施例とは異なるオーダシートの印刷を行う（ステップＳ１１０）。
【０１１０】
図３７は、第８の実施例において印刷装置１０によって印刷されたオーダシート９８０の一例を示す説明図である。図３７のオーダシート９８０は、第１の実施例における図４のオーダシート９１０が有する印刷用紙指定欄９１１０と同様の印刷用紙指定欄９８１０と、画像データに基づく画像の個々に関する印刷態様を指定するための情報の記入をユーザから受け付ける受付欄である印刷態様指定欄９８２０とを有する。オーダシート９８０の印刷態様指定欄９８２０は、読み出された画像データの各々を識別する識別子であるデータ名９８２２と、各画像データに基づく画像を示すインデックス画像９８２１と、その画像を「トリミングなし」かつ「フチなし」で印刷する指示の記入をユーザから受け付けるマーク部９８２３と、その画像を「トリミングなし」かつ「フチあり」で印刷する指示の記入をユーザから受け付けるマーク部９８２４と、その画像を「トリミングあり」かつ「フチなし」で印刷する指示の記入をユーザから受け付けるマーク部９８２５と、その画像を「トリミングあり」かつ「フチあり」で印刷する指示の記入をユーザから受け付けるマーク部９８２６とを有する。
【０１１１】
図３８は、第８の実施例において画像を印刷するための情報がユーザによって記入された図３７のオーダシート９８０の一例を示す説明図である。図３８のオーダシート９８０は、画像を印刷するためにユーザによって記入された情報として、印刷用紙指定欄９８１０の複数のマーク部９８１２の一つの内側を塗り潰したマークＭＫと、印刷態様指定欄９８２０のマーク部９８２３，９８２４，９８２５，９８２６を塗り潰したマークＭＫとを有する
【０１１２】
図３８に示す例では、印刷用紙指定欄９８１０には、「写真用紙‐Ｌ版」に対応するマーク部９８１２にマークＭＫが記入され、印刷態様指定欄９８２０には、データ名「ＧＤ０８１０」に関しては、「トリミング印刷（フチなし）」を示すマーク部９８２５にマークＭＫが記入され、データ名「ＧＤ０８１１」に関しては、「トリミング印刷（フチあり）」を示すマーク部９８２６にマークＭＫが記入され、データ名「ＧＤ０８１４」に関しては、「印刷印刷（フチなし）」を示すマーク部９８２３にマークＭＫが記入され、データ名「ＧＤ０８１８」に関しては、「印刷印刷（フチあり）」を示すマーク部９８２４にマークＭＫが記入されている。
【０１１３】
図３６の説明に戻り、図３７に示したオーダシート９８０の印刷（ステップＳ１１０）、図３８に示したオーダシート９８０のスキャン（ステップＳ１１５）が行われた後、印刷装置１０のメイン制御部１１０は、スキャナ部１３０から取得したスキャン画像から、印刷用紙指定欄９８１０のマーク部９８１２に記入されたマークＭＫや、印刷態様指定欄９８２０のマーク部９８２３，９８２４，９８２５，９８２６に記入されたマークＭＫを認識する（ステップＳ８２０）。
【０１１４】
マークＭＫがスキャン画像から認識された後（ステップＳ８２０）、印刷装置１０のメイン制御部１１０は、オーダシート９８０に示された順序で最初の画像を印刷するための準備を行った後（ステップＳ１３０）、準備された画像を印刷するか否か、すなわち、マーク部９８２３，９８２４，９８２５，９８２６のいずれかにマークＭＫが認識されたか否かを判断する（ステップＳ１４０）。準備された画像を印刷することが決定されると（ステップＳ１４０）、「トリミング印刷」を示すマーク部９８２５，９８２６にマークＭＫが認識されたか否かを判断する（ステップＳ８５０）。
【０１１５】
マーク部９８２５，９８２６にマークＭＫが認識さていると判断された場合には（ステップＳ８５０）、メイン制御部１１０は、元画像ＳＧ上にトリミング枠ＴＦを重ね合わせた画像をディスプレイ部１６０に表示して、トリミング画像ＴＧを調整するための指示をユーザからの入力ボタン部１７０を介して受け付ける（ステップＳ８６０）。その後、マーク部９８２５，９８２６のうち「フチなし印刷」を示すマーク部９８２５にマークＭＫが認識されている場合、メイン制御部１１０は、調整されたトリミング画像ＴＧをフチなし状態で印刷する（ステップＳ８７５）。一方、マーク部９８２５，９８２６のうち「フチあり印刷」を示すマーク部９８２６にマークＭＫが認識されている場合、メイン制御部１１０は、調整されたトリミング画像ＴＧをフチあり状態で印刷する（ステップＳ８７７）。
【０１１６】
「印刷実行（フチなし）」を示すマーク部９８２３にマークＭＫが認識されている場合（ステップＳ８５０，Ｓ８５２）、メイン制御部１１０は、元画像ＳＧをフチなし状態で印刷する（ステップＳ８５５）。一方、「印刷実行（フチあり）」を示すマーク部９８２４にマークＭＫが認識されている場合（ステップＳ８５０，Ｓ８５２）、メイン制御部１１０は、元画像ＳＧをフチあり状態で印刷する（ステップＳ８５７）。
【０１１７】
以上説明した第８の実施例の画像印刷技術によれば、印刷装置１０は、印刷される画像に対する「フチなし印刷」の要否に関するユーザからの要求を、オーダシート９８０を利用して受け付けることができる。したがって、第８の実施例の画像印刷技術は、オーダシートを利用した画像印刷の利便性を向上させることができる。
【０１１８】
なお、第８の実施例では、画像毎に「フチなし印刷」の要否の指定を受け付ける態様としたが、他の実施形態として、オーダシートに示された画像の全てに対する「フチなし印刷」の要否の指定を一括して受け付けても良い。例えば、図３３に示しオーダシート９７０に、「全画像をフチなし印刷」の文字が付されたマーク部と、「全画像を通常印刷」の文字が付されたマーク部とを追加したオーダシートを用いて、全画像に対する「フチなし印刷」の要否の指定を一括して受け付けても良い。
【０１１９】
Ｉ．その他の実施形態：
以上、本発明の実施の形態について説明したが、本発明は、前述の実施の形態に何ら限定されるものではなく、本発明の趣旨を逸脱しない範囲内において様々な形態で実施し得ることは勿論である。例えば、第１の実施例における枠線ＣＬ、第２の実施例における塗り潰し領域ＰＯ、第３の実施例における格子線９３３０に沿った線分ＬＳ、第４の実施例における二組の目盛ＳＣ１，ＳＣ２および目盛ＳＣ３，ＳＣ４、第５の実施例における目盛ＳＣｖ，ＳＣｈの各実施例におけるトリミング範囲の指定を、二つ以上組み合わせることとしても良い。また、第１の実施例における変形例を、第２ないし８の実施例に適用することとしても良い。また、パーソナルコンピュータと印刷装置とスキャナ装置とを備えるコンピュータシステムにおいて、パーソナルコンピュータに記憶されている画像データを、印刷装置を用いて印刷する場合に、本発明を適用することとしても良い。
【図面の簡単な説明】
【０１２０】
【図１】印刷装置１０の外観構成を示す斜視図である。
【図２】印刷装置１０の内部構成を示す説明図である。
【図３】第１の実施例において印刷装置１０のメイン制御部１１０によって実行される画像印刷処理を示すフローチャートである。
【図４】第１の実施例において印刷装置１０によって印刷されたオーダシート９１０の一例を示す説明図である。
【図５】第１の実施例において画像を印刷するための情報がユーザによって記入された図４のオーダシート９１０の一例を示す説明図である。
【図６】枠線ＣＬを認識する様子を示す説明図である。
【図７】除去部位ＣＰを特定する様子およびトリミング画像ＴＧを印刷する様子を示す説明図である。
【図８】変形例における印刷インデックス画像ＩＧｐを示す説明図である。
【図９】変形例におけるオーダシート９１２を示す説明図である。
【図１０】変形例における枠線ＣＬを認識する様子を示す説明図である。
【図１１】変形例における除去部位ＣＰを特定する様子およびトリミング画像ＴＧを印刷する様子を示す説明図である。
【図１２】変形例における除去部位ＣＰを特定する様子およびトリミング画像ＴＧを印刷する様子を示す説明図である。
【図１３】変形例における画像印刷処理を示すフローチャートである。
【図１４】第２の実施例において印刷装置１０のメイン制御部１１０によって実行される画像印刷処理を示すフローチャートである。
【図１５】第２の実施例において画像を印刷するための情報がユーザによって記入された図４のオーダシート９１０の一例を示す説明図である。
【図１６】第２の実施例における除去部位ＣＰを特定する様子およびトリミング画像ＴＧを印刷する様子を示す説明図である。
【図１７】第３の実施例において印刷装置１０のメイン制御部１１０によって実行される画像印刷処理を示すフローチャートである。
【図１８】第３の実施例において印刷装置１０によって印刷されたオーダシート９３０の一例を示す説明図である。
【図１９】第３の実施例において画像を印刷するための情報がユーザによって記入された図１８のオーダシート９３０の一例を示す説明図である。
【図２０】第３の実施例における除去部位ＣＰを特定する様子およびトリミング画像ＴＧを印刷する様子を示す説明図である。
【図２１】第４の実施例において印刷装置１０のメイン制御部１１０によって実行される画像印刷処理を示すフローチャートである。
【図２２】第４の実施例において印刷装置１０によって印刷されたオーダシート９４０の一例を示す説明図である。
【図２３】第４の実施例において画像を印刷するための情報がユーザによって記入された図２２のオーダシート９４０の一例を示す説明図である。
【図２４】第４の実施例における除去部位ＣＰを特定する様子およびトリミング画像ＴＧを印刷する様子を示す説明図である。
【図２５】第５の実施例において印刷装置１０のメイン制御部１１０によって実行される画像印刷処理を示すフローチャートである。
【図２６】第５の実施例において画像を印刷するための情報がユーザによって記入された図２２のオーダシート９４０の一例を示す説明図である。
【図２７】第５の実施例における除去部位ＣＰを特定する様子およびトリミング画像ＴＧを印刷する様子を示す説明図である。
【図２８】第６の実施例において印刷装置１０のメイン制御部１１０によって実行される画像印刷処理を示すフローチャートである。
【図２９】第６の実施例において印刷装置１０によって印刷されたオーダシート９６０の一例を示す説明図である。
【図３０】第６の実施例において画像を印刷するための情報がユーザによって記入された図２９のオーダシート９６０の一例を示す説明図である。
【図３１】第６の実施例における除去部位ＣＰを特定する様子およびトリミング画像ＴＧを印刷する様子を示す説明図である。
【図３２】第７の実施例において印刷装置１０のメイン制御部１１０によって実行される画像印刷処理を示すフローチャートである。
【図３３】第７の実施例において印刷装置１０によって印刷されたオーダシート９７０の一例を示す説明図である。
【図３４】第７の実施例において画像を印刷するための情報がユーザによって記入された図３３のオーダシート９７０の一例を示す説明図である。
【図３５】フチあり状態で画像が印刷された印刷媒体９００の一例を示す説明図である。
【図３６】第８の実施例において印刷装置１０のメイン制御部１１０によって実行される画像印刷処理を示すフローチャートである。
【図３７】第８の実施例において印刷装置１０によって印刷されたオーダシート９８０の一例を示す説明図である。
【図３８】第８の実施例において画像を印刷するための情報がユーザによって記入された図３７のオーダシート９８０の一例を示す説明図である。
【符号の説明】
【０１２１】
１０…印刷装置
１１０…メイン制御部
１１２…画像読出部
１１４…オーダシート印刷制御部
１１６…スキャン認識部
１１８…トリミング印刷制御部
１２０…印刷部
１３０…スキャナ部
１４０…カードスロット
１５０…通信コネクタ
１６０…ディスプレイ部
１７０…入力ボタン部
２００…キャリッジ
２１０…印刷ヘッドユニット
２１１〜２１６…インク吐出ヘッド
２４０…キャリッジ駆動部
２５０…印刷媒体搬送部
８１０…記憶媒体
８２０…外部機器
９００…印刷媒体
９０２…印刷領域
９０６…余白
９１０，９１２…オーダシート
９１１０…印刷用紙指定欄
９１１２…マーク部
９１２０…印刷態様指定欄
９１２１…インデックス画像
９１２２…データ名
９１２３…マーク部
９１３０…アスペクト比指定欄
９１３２…マーク部
９３０…オーダシート
９３１０…印刷用紙指定欄
９３１２…マーク部
９３２０…印刷態様指定欄
９３２１…インデックス画像
９３２２…データ名
９３２３…マーク部
９３３０…格子線
９４０…オーダシート
９４１０…印刷用紙指定欄
９４１２…マーク部
９４２０…印刷態様指定欄
９４２１…インデックス画像
９４２２…データ名
９４２３…マーク部
９４３２…縦定規
９４３４…横定規
９６０…オーダシート
９６１０…印刷用紙指定欄
９６１２…マーク部
９６２０…印刷態様指定欄
９６２１…インデックス画像
９６２２…データ名
９６３０…マーク部
９６３１，９６３２，９６３３…候補マーク部
９７０…オーダシート
９７１０…印刷用紙指定欄
９７１２…マーク部
９７２０…印刷態様指定欄
９７２１…インデックス画像
９７２２…データ名
９７２３，９７２４…マーク部
９８０…オーダシート
９８１０…印刷用紙指定欄
９８１２…マーク部
９８２０…印刷態様指定欄
９８２１…インデックス画像
９８２２…データ名
９８２３，９８２４，９８２５，９８２６…マーク部
ＭＫ…マーク
ＣＬ…枠線
ＰＯ…塗り潰し領域
ＬＳ…線分
ＳＣ１，ＳＣ２，ＳＣ３，ＳＣ４…目盛
ＰＤ１…垂線
ＰＤ３…垂線
ＳＣｈ，ＳＣｖ…目盛
ＣＯ…対応領域
ＴＰ１，ＴＰ２，ＴＰ３…トリミングパターン
ＳＧ…元画像
ＴＧ…トリミング画像
ＴＦ…トリミング枠
ＣＰ…除去部位
ＩＧｐ…印刷インデックス画像
ＩＧｓ…インデックス画像
Ｖｃｄ…色差分値
Ｖｅｘ…抽出結果
ＢＰ…空白部
【図１】
2007124623.tif 000003
【図２】
2007124623.tif 000004
【図３】
2007124623.tif 000005
【図４】
2007124623.tif 000006
【図５】
2007124623.tif 000007
【図６】
2007124623.tif 000008
【図７】
2007124623.tif 000009
【図８】
2007124623.tif 000010
【図９】
2007124623.tif 000011
【図１０】
2007124623.tif 000012
【図１１】
2007124623.tif 000013
【図１２】
2007124623.tif 000014
【図１３】
2007124623.tif 000015
【図１４】
2007124623.tif 000016
【図１５】
2007124623.tif 000017
【図１６】
2007124623.tif 000018
【図１７】
2007124623.tif 000019
【図１８】
2007124623.tif 000020
【図１９】
2007124623.tif 000021
【図２０】
2007124623.tif 000022
【図２１】
2007124623.tif 000023
【図２２】
2007124623.tif 000024
【図２３】
2007124623.tif 000025
【図２４】
2007124623.tif 000026
【図２５】
2007124623.tif 000027
【図２６】
2007124623.tif 000028
【図２７】
2007124623.tif 000029
【図２８】
2007124623.tif 000030
【図２９】
2007124623.tif 000031
【図３０】
2007124623.tif 000032
【図３１】
2007124623.tif 000033
【図３２】
2007124623.tif 000034
【図３３】
2007124623.tif 000035
【図３４】
2007124623.tif 000036
【図３５】
2007124623.tif 000037
【図３６】
2007124623.tif 000038
【図３７】
2007124623.tif 000039
【図３８】
2007124623.tif 000040